(57)【特許請求の範囲】
【請求項１】
鉄骨系建築物を施工する際に使用される安全用のスタンションポールの取付装置において、上方からスタンションポールを差し込んで装着する装着部を有する本体に上下方向に伸縮可能なピン部が設けられ、ピン部を伸長して各先端部を鉄骨梁の上下フランジにそれぞれ設けた孔に差し込むことにより本体を鉄骨梁に着脱可能に取り付けるようになされていることを特徴とするスタンションポールの取付装置。
【請求項２】
ピン部が本体から上方に突出する固定ピンと、該固定ピンにスライド可能に装着されると共に本体の下側から突出できる可動ピンを有し、該可動ピンにはスライド操作用の把手と前記突出方向に可動ピンを押圧する押圧手段が設けられている請求項１に記載のスタンションポールの取付装置。
【請求項３】
鉄骨系建築物を施工する際に使用される安全用のスタンションポールを取り付ける方法において、請求項１または請求項２に記載のスタンションポールの取付装置を使用し、そのピン部の各先端部を鉄骨梁の上下フランジにそれぞれ設けた孔に差し込と共に、本体の装着部にスタンションポールを装着することを特徴とするスタンションポールの取付方法。
【発明の詳細な説明】
【０００１】
【発明の属する技術分野】
本発明は鉄骨系建築工事の施工時の安全を確保するために安全ロープを張りめぐらす際に、用いられる安全治具の一種であるスタンションポールを躯体に取り付ける取付装置及びその取付方法に係り、特にピン固定方式を採用することによってスタンションポールが工具を使用せずに簡単かつ短時間で躯体に着脱することが出来る取付装置と取付方法に関するものである。
【０００２】
【従来の技術】
従来のこの種のスタンションポールの取付装置は、例えば図５乃至図７（Ａ），（Ｂ）に示す如く、所定位置に複数のボルト穴５１を有する水平フランジ５２と、所定位置に複数のボルト長穴５３を有する垂直フランジ５４、及びこれ等の両側面に設けられたほぼ３角状の側板５５とよりなるアタッチメント５６と、及び前記水平フランジ５２上に載置し得る複数のボルト孔５１を持った平板５７と、この平板５７の中心部に一体的に起立された棒材５８とよりなるスタンションポール５９とより構成されていた。
【０００３】
そして、前述のアタッチメント５６を躯体側の鉄骨梁６０に取付固定する場合には、アタッチメント５６の水平フランジ５２を鉄骨梁６０のフランジ６０ａの下面に当接すると共に、垂直フランジ５４を鉄骨梁６０のウェブ６０ｂの側面に当接し、ボルト６１及びナット６２を介してアタッチメント５６を鉄骨梁６０に取付固定していた。
【０００４】
また、スタンションポール５９をアタッチメント５６に取り付けるに当たっては、鉄骨梁６０のフランジ６０ａより外方に突出されたアタッチメント５６の水平フランジ５２の先端部にスタンションポール５９の平板５７を載置し、両者のボルト孔５１，５１を相互に合致させると共に、これ等のボルト孔５１，５１にボルト６１を挿通し、その先端部にナット６２を螺合することによって、スタンションポール５９をアタッチメント５６に取付固定していた。
【０００５】
【発明が解決しようとする課題】
然るに、前述の従来のスタンションポールの取付装置及び取付方法は、アタッチメント５６と及びスタンションポール５９とを夫々取付固定するに当たっては、ボルト６１とナット６２を必要とすると共に、ボルト締めに当たってはボルト締め等の工具を必要とする問題があった。かつ、これ等のアタッチメント５６に取付固定したり、使用後にこれ等を取り外すためには、建物躯体の上階と下階とに各１人づつの作業者が必要であり、そのために作業性が悪く、しかも着脱作業に危険が伴う等の問題があった。
【０００６】
本発明に係るスタンションポールの取付装置及びその取付方法は、前述の多くの問題点に鑑み開発された全く新しい技術であって、特にスタンションポールを上方から差し込んで装着する装着部を有する本体に、上下方向に伸縮可能なピン部を設け、このピン部を伸長して鉄骨梁の上下フランジに夫々設けた孔に差し込むことにより本体を鉄骨梁に着脱可能に取り付けるようにしたスタンションポールの取付装置及びその取付方法の技術を提供するものである。
【０００７】
【課題を解決するための手段】
本発明に係るスタンションポールの装置は、前述の従来の問題点を根本的に改善した全く新しい技術であって、その第１発明の要旨は、鉄骨系建築物を施工する際に使用される安全用のスタンションポールの取付装置において、上方からスタンションポールを差し込んで装着する装着部を有する本体に上下方向に伸縮可能なピン部が設けられ、ピン部を伸長して各先端部を鉄骨梁の上下フランジにそれぞれ設けた孔に差し込むことにより本体を鉄骨梁に着脱可能に取り付けるようになされていることを特徴とするスタンションポールの取付装置である。
【０００８】
前記第１発明のスタンションポールの装置に於いては、スタンションポールを差し込んで装着することが出来る装置部を有する本体に上下方向に伸縮可能なピン部を設けて構成したので、前記ピン部を伸長して鉄骨梁の上下フランジに夫々設けた孔に差し込むことによって、前記本体を鉄骨梁に簡単に着脱出来るように取り付けることが出来る。
【０００９】
本発明に係るスタンションポールの取付装置の第２発明の要旨は、ピン部が本体から上方に突出する固定ピンと、該固定ピンにスライド可能に装着されると共に本体の下側から突出できる可動ピンを有し、該可動ピンにはスライド操作用の把手と前記突出方向に可動ピンをスプリング、自重等で押圧する押圧手段が設けられている第１発明に記載のスタンションポールの取付装置である。
【００１０】
前記第２発明のスタンションポールの取付装置に於いては、前記ピン部が本体から上方に突出する固定ピンと、該固定ピンにスライド可能に装着されると共に本体の下側から突出できる可動ピンとより形成されているので、上方に突出している固定ピンは鉄骨梁の上フランジの孔に差し込み、下方に突出している可動ピンは鉄骨梁の下フランジの孔に差し込むことによって本体を鉄骨梁に簡単に、かつ１人の作業者のみで容易に取り付けることが出来る。
【００１１】
また、前記本体に設けられた可動ピンにはスライド操作用の把手と前記突出方向に可動ピンをスプリング、自重等で押圧する押圧手段が設けられているので、該把手を持って可動ピンを容易に操作しながら、該可動ピンを鉄骨梁の下フランジの孔に簡単かつ確実に挿入することが出来る。
【００１２】
本発明に係るスタンションポールの取付方法は、前述の従来の取付方法を根本的に改善した技術であって、その発明の要旨は、鉄骨系建築物を施工する際に使用される安全用のスタンションポールを取り付ける方法において、前記第１発明または前記第２発明に記載のスタンションポールの取付装置を使用し、そのピン部の各先端部を鉄骨梁の上下フランジにそれぞれ設けた孔に差し込と共に、本体の装着部にスタンションポールを装着することを特徴とするスタンションポールの取付方法である。
【００１３】
前述のスタンションポールの取付方法は、スタンションポールを上方から差し込んで装着する装着部を有する本体に上下方向にスライドして伸縮可能なピン部を設けた取付装置を使用し、その上下のピン部の各先端部を鉄骨梁の上下フランジに設けた孔に差し込むようにしたので、ピン部を介して鉄骨梁の側部に簡単に取り付けることが出来る。
【００１４】
また、この本体にはスタンションポールを上方から差し込んで装着することが出来る装着部が予め設けられており、この装着部にスタンションポールを装着するようにしたので、スタンションポールを本体に極めて簡単な方法で装着することが出来る。
【００１５】
【発明の実施の形態】
図により本発明に係るスタンションポールの取付装置の一実施例を具体的に説明すると、図１は本発明に係る取付装置の斜視説明図、図２（Ａ），（Ｂ）は夫々図１の取付装置に設けられたスタンションポールの装着部の実施例を示す側面図、図３は図１の取付装置の本体を鉄骨梁に取り付ける状態の説明図、図４は図３の取付装置の本体にスタンションポールを装着した状態の説明図である。
【００１６】
本発明に係るスタンションポールの取付装置を図１により説明すると次の通りである。即ち、１はほぼ方形枠状の本体であって、鉄骨梁２の上下フランジ２ａ，２ｂの内面に当接し得る上枠３と下枠４と、これ等の上下枠３，４を結ぶ垂直枠５と及び有底の筒体６とより形成されている。また、本体１の片側面には窓１５ａを有する側板１５が設けられている。
【００１７】
７はスタンションポールであって、その下部は筒体６に挿入して装着し得るように形成されている。このスタンションポール７の上端には安全ロープを挿通出来るリング７ａが設けられている。該筒体６の一部にはネジ穴８が設けられており、このネジ穴８にはロックボルト９をネジ込むことが出来、このロックボルト９の先端によって筒体６内に挿入されたスタンションポール７を締め付けすることが出来るように構成されている。
【００１８】
本体１の上枠３には、鉄骨梁２の上フランジ２ａに設けられた孔１０に挿通することが出来る固定ピン１１が起立突設されている。本体１内には、前記固定ピン１１の下方に垂直枠５に沿って可動ピン用ガイド管１２が設けられている。
【００１９】
この可動ピン用ガイド管１２内には可動ピン１３が挿入されており、かつこの可動ピン１３の下部は本体１の下枠４の下面より突出させ、前記鉄骨梁２の下フランジ２ｂの孔１０に挿通し得るように構成されている。前記可動ピン用ガイド管１２内にはスプリング（図示せず）が内蔵されており、このスプリングで可動ピン１３を下方向に付勢している。可動ピン１３の側面にはレバーハンドル１４が突設されている。
【００２０】
本体１に設けられる筒体６は、図２（Ａ）に示す如く、対応する位置にある垂直枠５の高さとほぼ等しい高さに形成することも、或いは同図（Ｂ）に示す上枠３より上方に突出させ、即ち、筒体６の長さをより大きく構成することも可能である。
【００２１】
前述のスタンションポールの取付装置を鉄骨梁２に取り付ける操作について説明すると次の通りである。即ち、図３及び図４に示す如く、本体１の側板１５の窓１５ａに指先を挿入しながら片手で持ち、かつ他方で手でレバーハンドル１４を操作して可動ピン１３を押し上げながら鉄骨梁２の上下フランジ２ａ，２ｂ間に本体１を挿入し、上方に突出した固定ピン１１を上フランジ２ａの孔１０内に挿通する。
【００２２】
次にレバーハンドル１４を操作して可動ピン１３を下方に伸ばしながら、その可動ピン１３の下端部を下フランジ２ｂの孔１０に挿通して、本体１を鉄骨梁２の側方に取付固定する。その後で、筒体６の上方からスタンションポール７の下部を挿入し、ロックボルト９をネジ穴８にネジ込んで、その先端部でスタンションポール７を締め付けることによってスタンションポール７を筒体６に固定して本体１に取り付けることが出来る。
【００２３】
前述のように、本発明に係る取付装置は、本体１の上部のピンを固定ピン１１としたので、仮に鉄骨梁２の上フランジ２ａより突出した固定ピン１１の上部を作業者が踏みつけても、動かないようにすることが出来る。そして下部のピンを可動ピン１３で構成している。
【００２４】
また、前記可動ピン１３は可動ピン用ガイド管１２に内蔵されたスプリングによって、レバーハンドル１４を操作しない限りは動かないように構成されている。前述の実施例に於いては、可動ピン用ガイド管１２にスプリングを内蔵させて、このスプリングの作用で可動ピン１３を下方向に付勢したが、スプリングを使用せずに、可動ピン１３の自重を利用して下方向に不勢したり、或いは可動ピン用ガイド管１２の周壁に設けた縦溝及び横溝（図示せず）を利用することによって、可動ピン１３を伸縮させることも可能である。
【００２５】
前述の本体１を鉄骨梁２に着脱するに当たっては、その上部の固定ピン１１を上フランジ２ａの孔１０に差し込んだ後で、この固定ピン１１を軸にして回転させながら着脱するので、本体１の垂直枠５を下枠４とで形成するコーナー部をＲ形状とした方がより効果的である。
【００２６】
本発明に係る取付装置を使用した場合には、この取付装置を取り付ける際にボルト及びナットが全く不要である。従って、ボルトを締め付ける工具等も必要としない。更に本体１を鉄骨梁２に取り付ける場合には、レバーハンドル１４の操作のみで施工することが出来るので、１人の作業員で簡単かつ安全に、しかも短時間で作業を行うことが出来る。
【００２７】
【発明の効果】
本発明に係るスタンションポールの取付装置及びその取付方法は、前述のような構成と作用とを有するので、スタンションポールの取付装置を躯体側に簡単に取り付けたり、或いは取り外したりすることが出来る。
【００２８】
また、スタンションポールの取付装置の着脱作業は１人の作業員が短時間の作業で行うことが出来る。かつボルト締付工具等の工具を一切使用することなく施工することが出来る。従って、施工性能を著しく向上させることが出来ると共に、作業員の安全性を確保することが出来る等の特徴を有するものである。
【図面の簡単な説明】
【図１】本発明に係る取付装置の斜視説明図である。
【図２】図２（Ａ）、（Ｂ）は夫々図１の取付装置に設けられたスタンションポールの装着部の実施例を示す側面図である。
【図３】図１の取付装置の本体を鉄骨梁に取り付ける状態の説明図である。
【図４】図３の取付装置の本体にスタンションポールを装着した状態の説明図である。
【図５】従来のスタンンションポール用のアタッチメントを示す説明図である。
【図６】従来のスタンションポールの構成を示す説明図である。
【図７】図７（Ａ），（Ｂ）は前記アタッチメント及びスタンションポールの取付状態を示す説明図である。
【符号の説明】
１              本体
２              鉄骨梁
２ａ            上フランジ
２ｂ            下フランジ
３              上枠
４              下枠
５              垂直枠
６              筒体
７              スタンションポール
８              ネジ穴
９              ロックボルト
１０            孔
１１            固定ピン
１２            可動ピン用ガイド管
１３            可動ピン
１４            レバーハンドル
１５            側板
１５ａ          窓
５１            ボルト穴
５２            水平フランジ
５３            ボルト長穴
５４            垂直フランジ
５５            側板
５６            アタッチメント
５７            平板
５８            棒材
５９            スタンションポール
６０            鉄骨梁
６１            ボルト
６２            ナット
【図１】
0003548426.tif 000002
【図２】
0003548426.tif 000003
【図３】
0003548426.tif 000004
【図４】
0003548426.tif 000005
【図５】
0003548426.tif 000006
【図６】
0003548426.tif 000007
【図７】
0003548426.tif 000008